(57)【要約】      （修正有）【課題】棒金収納装置に設けられた表示部に棒金収納装置の状態情報を表示させる場合と比較して、操作者が棒金収納装置の状態情報をより容易かつ確実に確認することができる貨幣処理システム、棒金収納装置および貨幣処理方法を提供する。【解決手段】貨幣処理システム１は、複数の棒金硬貨を収納可能な棒金収納装置（棒金収納庫１００）と、棒金収納装置とは別に設けられ、この棒金収納装置と通信接続されており、棒金収納装置の状態情報を表示するための表示部を有する外部装置（表示部２１２を有する硬貨釣銭機２００や表示部４１２を有するＰＯＳレジスタ４００）と、を備えている。【選択図】図１
2014119808.tif 000002
【特許請求の範囲】
【請求項１】
複数の棒金硬貨を収納可能な棒金収納装置と、
前記棒金収納装置とは別に設けられ、前記棒金収納装置と通信接続されており、前記棒金収納装置の状態情報を表示するための表示部を有する外部装置と、
を備えた、貨幣処理システム。
【請求項２】
前記貨幣処理システムは、前記棒金収納装置において異常状態が発生しているときにこのことを検出する異常状態検出手段を有しており、
前記外部装置の前記表示部は、前記状態情報として前記異常状態検出手段により検出された異常状態に関する情報を表示するようになっている、請求項１記載の貨幣処理システム。
【請求項３】
前記異常状態検出手段により検出されるべき異常状態は予め複数種類設定されており、前記外部装置の前記表示部は、前記異常状態検出手段により検出された異常状態の種類によって表示内容を変えるようになっている、請求項２記載の貨幣処理システム。
【請求項４】
複数の表示内容を、予め設定された複数の種類の異常状態に関連付けて記憶する記憶部を更に備え、
前記外部装置の前記表示部は、前記記憶部に記憶された複数の表示内容のうち、前記異常状態検出手段により検出された異常状態の種類に対応する一の表示内容を表示するようになっている、請求項３記載の貨幣処理システム。
【請求項５】
前記貨幣処理システムは、前記棒金収納装置の在高を検出する在高検出手段を有しており、
前記外部装置の前記表示部は、前記状態情報として前記在高検出手段により検出された前記棒金収納装置の在高を表示するようになっている、請求項１乃至４のいずれか一項に記載の貨幣処理システム。
【請求項６】
前記外部装置は、貨幣の処理を行う貨幣処理装置を含み、前記表示部は、前記異常状態検出手段によって前記棒金収納装置において異常状態が発生していることが検出されたときに前記貨幣処理装置の操作画面よりも前記異常状態検出手段により検出された異常状態に関する情報を優先して表示するようになっている、請求項２乃至４のいずれか一項に記載の貨幣処理システム。
【請求項７】
前記外部装置は、貨幣の処理を行う貨幣処理装置を含み、前記表示部は、前記貨幣処理装置において異常状態が発生しているときに前記棒金収納装置の状態情報よりも前記貨幣処理装置の異常状態に関する情報を優先して表示するようになっている、請求項１乃至５のいずれか一項に記載の貨幣処理システム。
【請求項８】
前記外部装置は、前記棒金収納装置の管理を行う金銭登録機を含む、請求項１乃至５のいずれか一項に記載の貨幣処理システム。
【請求項９】
前記外部装置は、貨幣の処理を行う貨幣処理装置と、前記貨幣処理装置および前記棒金収納装置の管理を行う金銭登録機とを含み、前記表示部は、前記棒金収納装置の状態情報よりも前記金銭登録機から前記貨幣処理装置に送信された指示内容を優先して表示するようになっている、請求項１乃至５のいずれか一項に記載の貨幣処理システム。
【請求項１０】
複数の棒金硬貨を収納可能な棒金収納装置であって、
前記棒金収納装置において異常状態が発生しているときにこのことを検出する異常状態検出手段と、
前記異常状態検出手段により検出された異常状態に関する情報を前記棒金収納装置とは別に設けられた外部装置に送信する通信部と、
を備えた、棒金収納装置。
【請求項１１】
複数の棒金硬貨を収納可能な棒金収納装置と、前記棒金収納装置とは別に設けられ、当該棒金収納装置と通信接続されている外部装置とを備えた貨幣処理システムによる貨幣処理方法であって、
前記棒金収納装置の状態情報を当該棒金収納装置から前記外部装置に送信する工程と、
前記外部装置に設けられた表示部により、前記棒金収納装置から送信された当該棒金収納装置の状態情報を表示する工程と、
を備えた、貨幣処理方法。
【発明の詳細な説明】
【技術分野】
【０００１】
本発明は、複数の棒金硬貨（同一金種の硬貨を一定枚数だけ棒状に包装したもの）を収納可能な棒金収納装置を備えた貨幣処理システム、棒金収納装置および貨幣処理方法に関する。
【背景技術】
【０００２】
近年、スーパーマーケットやコンビニエンスストア等のレジには、顧客から店員に手渡された紙幣や硬貨を機体内に収納することができるとともに釣銭としての紙幣や硬貨を機体内から外部に払い出すことができるレジ釣銭機が配設されている。このようなレジ釣銭機にはＰＯＳレジスタ（金銭登録機）が通信接続されており、店員はこのＰＯＳレジスタによりレジ釣銭機の管理を行うことができるようになっている。また、レジ釣銭機の近傍には、複数の棒金硬貨を収納可能な棒金収納庫が設けられており、レジ釣銭機において釣銭として払い出されるべき硬貨の収納枚数が不足したときには、店員は棒金収納庫から棒金硬貨を取り出し、この棒金硬貨の包装を解いてバラ硬貨とし、このバラ硬貨を釣銭用の硬貨としてレジ釣銭機に収納するようになっている。一般的には、棒金収納庫の上面にレジ釣銭機が載置され、レジ釣銭機の上面にＰＯＳレジスタが更に載置されるような構成となっている。棒金収納庫には、各金種の棒金硬貨に対応する複数の棒金硬貨収納部分が設けられており、各棒金硬貨収納部分には、対応する金種の棒金硬貨が収納されるようになっている。また、棒金収納庫には、各棒金硬貨収納部分に収納された棒金硬貨の有無や金種等を検出するための検出センサが設けられている。
【０００３】
従来では、棒金収納庫において誤った金種の棒金硬貨が棒金硬貨収納部分に収納されたことが検出センサにより検出されたときには、この棒金収納庫に設けられた制御部等において、棒金収納庫で収納異常状態が発生したと判断される。この場合には、例えば特許文献１等に開示されるように、棒金収納庫のドロアの前面に設けられた複数の表示ランプにより、棒金収納庫において収納異常状態が発生した旨の情報が表示される。具体的には、特許文献１に開示される棒金収納庫では、各棒金硬貨収納部分に適正な金種の棒金硬貨が収納された場合には各表示ランプは緑色に点灯するが、誤った金種の棒金硬貨が棒金硬貨収納部分に収納された場合にはこの棒金硬貨収納部分に対応する表示ランプが赤色に点灯するようになる。
【先行技術文献】
【特許文献】
【０００４】
【特許文献１】特許第５０６１７２４号
【発明の概要】
【発明が解決しようとする課題】
【０００５】
しかしながら、特許文献１等に開示されるような従来の棒金収納庫では、各表示ランプにおける表示内容と、棒金硬貨収納部分との間の位置対応関係がわかりにくいという問題がある。具体的には、ある表示ランプにおいて赤色が点灯しているが、どの棒金硬貨収納部分で棒金硬貨が適切に収納されていないのかが一目で分からないという問題がある。また、棒金収納庫において収納異常状態が発生したことが表示ランプに表示されたときに、操作者がどのような対処を行えばよいかが分かりにくいという問題がある。さらに、棒金収納庫のドロアの前面に複数の表示ランプを設けた場合には、このような各表示ランプによる表示が小さい上に、棒金収納庫は一般的にＰＯＳレジスタやレジ釣銭機の下方に配置されるため、各表示ランプの表示内容を位置的に見にくいという問題があり、ある表示ランプが赤色に点灯している場合でも操作者が見逃してしまうおそれがある。
【０００６】
本発明は、このような点を考慮してなされたものであり、複数の棒金硬貨を収納可能な棒金収納装置とは別に設けられた貨幣処理装置（釣銭機）や金銭登録機等の外部装置の表示部に棒金収納装置の状態情報を表示させることにより、棒金収納装置に設けられた表示部に棒金収納装置の状態情報を表示させる場合と比較して、操作者が棒金収納装置の状態情報をより容易かつ確実に確認することができる貨幣処理システム、棒金収納装置および貨幣処理方法を提供することを目的とする。
【課題を解決するための手段】
【０００７】
本発明の貨幣処理システムは、複数の棒金硬貨を収納可能な棒金収納装置と、前記棒金収納装置とは別に設けられ、前記棒金収納装置と通信接続されており、前記棒金収納装置の状態情報を表示するための表示部を有する外部装置と、を備えたことを特徴とする。
【０００８】
このような貨幣処理システムによれば、複数の棒金硬貨を収納可能な棒金収納装置とは別に、この棒金収納装置の状態情報を表示するための表示部を有する外部装置が設けられている。このように、棒金収納装置とは別に設けられた外部装置の表示部にこの棒金収納装置の状態情報を表示させることにより、棒金収納装置に設けられた表示ランプにこの棒金収納装置の状態情報を表示させる場合と比較して、操作者が棒金収納装置の状態情報をより容易かつ確実に確認することができる。すなわち、棒金収納装置に設けられた表示ランプにこの棒金収納装置の状態情報を表示させる場合には、各表示ランプにおける表示内容と、棒金硬貨がそれぞれ１つずつ収納される各棒金硬貨収納部分との間の位置対応関係がわかりにくいという問題がある。具体的には、ある表示ランプにおいて赤色が点灯しているが、どの棒金硬貨収納部分で棒金硬貨が適切に収納されていないのかが一目で分からないという問題がある。また、棒金収納装置において収納異常状態が発生したことが表示ランプに表示されたときに、操作者がどのような対処を行えばよいかが分かりにくいという問題がある。さらに、棒金収納装置の収納ドロアの前面に複数の表示ランプを設けた場合には、このような各表示ランプによる表示が小さい上に、棒金収納装置は釣銭機や金銭登録機等の下方に配置されるため、各表示ランプの表示内容を位置的に見にくいという問題があり、ある表示ランプが赤色に点灯している場合でも操作者が見逃してしまうおそれがある。これに対し、本発明による貨幣処理システムでは、このような問題を解消することができる。
【０００９】
本発明による貨幣処理システムは、前記棒金収納装置において異常状態が発生しているときにこのことを検出する異常状態検出手段を有しており、前記外部装置の前記表示部は、前記状態情報として前記異常状態検出手段により検出された異常状態に関する情報を表示するようになっていてもよい。
【００１０】
この際に、前記異常状態検出手段により検出されるべき異常状態は予め複数種類設定されており、前記外部装置の前記表示部は、前記異常状態検出手段により検出された異常状態の種類によって表示内容を変えるようになっていてもよい。
【００１１】
また、本発明による貨幣処理システムは、複数の表示内容を、予め設定された複数の種類の異常状態に関連付けて記憶する記憶部を更に備え、前記外部装置の前記表示部は、前記記憶部に記憶された複数の表示内容のうち、前記異常状態検出手段により検出された異常状態の種類に対応する一の表示内容を表示するようになっていてもよい。
【００１２】
本発明による貨幣処理システムは、前記棒金収納装置の在高を検出する在高検出手段を有しており、前記外部装置の前記表示部は、前記状態情報として前記在高検出手段により検出された前記棒金収納装置の在高を表示するようになっていてもよい。
【００１３】
本発明による貨幣処理システムにおいては、前記外部装置は、貨幣の処理を行う貨幣処理装置を含み、前記表示部は、前記異常状態検出手段によって前記棒金収納装置において異常状態が発生していることが検出されたときに前記貨幣処理装置の操作画面よりも前記異常状態検出手段により検出された異常状態に関する情報を優先して表示するようになっていてもよい。
【００１４】
本発明による貨幣処理システムにおいては、前記外部装置は、貨幣の処理を行う貨幣処理装置を含み、前記表示部は、前記貨幣処理装置において異常状態が発生しているときに前記棒金収納装置の状態情報よりも前記貨幣処理装置の異常状態に関する情報を優先して表示するようになっていてもよい。
【００１５】
本発明による貨幣処理システムにおいては、前記外部装置は、前記棒金収納装置の管理を行う金銭登録機を含んでいてもよい。
【００１６】
本発明による貨幣処理システムにおいては、前記外部装置は、貨幣の処理を行う貨幣処理装置と、前記貨幣処理装置および前記棒金収納装置の管理を行う金銭登録機とを含み、前記表示部は、前記棒金収納装置の状態情報よりも前記金銭登録機から前記貨幣処理装置に送信された指示内容を優先して表示するようになっていてもよい。
【００１７】
本発明の棒金収納装置は、複数の棒金硬貨を収納可能な棒金収納装置であって、前記棒金収納装置において異常状態が発生しているときにこのことを検出する異常状態検出手段と、前記異常状態検出手段により検出された異常状態に関する情報を前記棒金収納装置とは別に設けられた外部装置に送信する通信部と、を備えたことを特徴とする。
【００１８】
このような棒金収納装置によれば、当該棒金収納装置とは別に設けられた外部装置の表示部にこの棒金収納装置の状態情報を表示させることにより、棒金収納装置に設けられた表示部にこの棒金収納装置の状態情報を表示させる場合と比較して、操作者が棒金収納装置の状態情報をより容易かつ確実に確認することができる。
【００１９】
本発明の貨幣処理方法は、複数の棒金硬貨を収納可能な棒金収納装置と、前記棒金収納装置とは別に設けられ、当該棒金収納装置と通信接続されている外部装置とを備えた貨幣処理システムによる貨幣処理方法であって、前記棒金収納装置の状態情報を当該棒金収納装置から前記外部装置に送信する工程と、前記外部装置に設けられた表示部により、前記棒金収納装置から送信された当該棒金収納装置の状態情報を表示する工程と、を備えたことを特徴とする。
【００２０】
このような貨幣処理方法によれば、複数の棒金硬貨を収納可能な棒金収納装置とは別に設けられた外部装置の表示部にこの棒金収納装置の状態情報を表示させることにより、棒金収納装置に設けられた表示部にこの棒金収納装置の状態情報を表示させる場合と比較して、操作者が棒金収納装置の状態情報をより容易かつ確実に確認することができる。
【発明の効果】
【００２１】
本発明の貨幣処理システム、棒金収納装置および貨幣処理方法によれば、棒金収納装置に設けられた表示部に棒金収納装置の状態情報を表示させる場合と比較して、操作者が棒金収納装置の状態情報をより容易かつ確実に確認することができる。
【図面の簡単な説明】
【００２２】
【図１】本発明の実施の形態による貨幣処理システムの全体構成を示す斜視図である。
【図２】図１に示す貨幣処理システムの概略的な構成を示す構成図である。
【図３】図１等に示す貨幣処理システムの機能ブロック図である。
【図４】図１等に示す貨幣処理システムにおいて、棒金収納庫の筐体から収納ドロアを引き出した際の収納ドロア、棒金硬貨穴センサ、棒金硬貨径センサ等の構成を示す上面図である。
【図５】図１等に示す貨幣処理システムにおいて、棒金収納庫の筐体から収納ドロアを引き出した際の収納ドロア、棒金硬貨穴センサ、棒金硬貨径センサ等の構成を示す側断面図である。
【図６】棒金収納庫の様々な異常状態の種類および各異常状態の種類に対応する表示方法を示す表である。
【図７】棒金収納庫の収納ドロアにおいて異常状態が発生する場所の区分を示す図である。
【図８】図１等に示す貨幣処理システムの動作を示すフローチャートである。
【図９】（ａ）〜（ｄ）はそれぞれ、図１等に示す貨幣処理システムの硬貨釣銭機の表示部に表示される表示内容を示す図である。
【図１０】硬貨釣銭機の表示部における表示内容の優先度を示す表である。
【図１１】棒金収納庫の収納ドロアに設けられる各収納部の変形例に係る構成を示す図である。
【図１２】棒金収納庫の縮退運用を行う際の硬貨釣銭機の表示部に表示される表示内容を示す図である。
【図１３】棒金収納庫にロータリエンコーダが１つしか設けられていない場合における、筐体からの収納ドロアの引き出し動作を上方から見たときの図である。
【図１４】棒金収納庫にロータリエンコーダが２つ設けられている場合における、筐体からの収納ドロアの引き出し動作を上方から見たときの図である。
【発明を実施するための形態】
【００２３】
以下、図面を参照して本発明の実施の形態について説明する。図１乃至図１０は、本実施の形態に係る貨幣処理システムを示す図である。ここで、図１は、本実施の形態による貨幣処理システムの全体構成を示す斜視図であり、図２は、図１に示す貨幣処理システムの概略的な構成を示す構成図であり、図３は、図１等に示す貨幣処理システムの機能ブロック図である。また、図４は、図１等に示す貨幣処理システムにおいて、棒金収納庫の筐体から収納ドロアを引き出した際の収納ドロア、棒金硬貨穴センサ、棒金硬貨径センサ等の構成を示す上面図であり、図５は、図１等に示す貨幣処理システムにおいて、棒金収納庫の筐体から収納ドロアを引き出した際の収納ドロア、棒金硬貨穴センサ、棒金硬貨径センサ等の構成を示す側断面図である。また、図６は、棒金収納庫の様々な異常状態の種類および各異常状態の種類に対応する表示方法を示す表である。また、図７は、棒金収納庫の収納ドロアにおいて異常状態が発生する場所の区分を示す図である。また、図８は、図１等に示す貨幣処理システムの動作を示すフローチャートであり、図９（ａ）〜（ｄ）はそれぞれ、図１等に示す貨幣処理システムの硬貨釣銭機の表示部に表示される表示内容を示す図である。また、図１０は、硬貨釣銭機の表示部における表示内容の優先度を示す表である。
【００２４】
図１乃至図３に示すように、本実施の形態による貨幣処理システム１は、棒金収納庫１００と、硬貨釣銭機２００と、紙幣釣銭機３００と、ＰＯＳレジスタ（金銭登録機）４００とを備えている。棒金収納庫１００は、複数の棒金硬貨（同一金種の硬貨を一定枚数だけ棒状に包装したもの）を収納可能となっている。なお、後述するように、棒金収納庫１００は、バラ紙幣やバラ硬貨等の棒金硬貨以外の貨幣や、貨幣以外の有価証券等も収納可能となっている。硬貨釣銭機２００は、顧客から店員に手渡された硬貨を機体内に収納するとともに、釣銭としての硬貨を機体内から外部に投出するようになっている。紙幣釣銭機３００は、顧客から店員に手渡された紙幣を機体内に収納するとともに、釣銭としての紙幣を機体内から外部に投出するようになっている。図１に示すように、硬貨釣銭機２００および紙幣釣銭機３００は左右に連結して並ぶよう配設されている。ＰＯＳレジスタ４００は、硬貨釣銭機２００や紙幣釣銭機３００等の管理を行うようになっている。図１では各装置を見やすくするために棒金収納庫１００、硬貨釣銭機２００および紙幣釣銭機３００を連結させたもの、ならびにＰＯＳレジスタ４００を上下に分離して表示しているが、実際には、棒金収納庫１００の上面に硬貨釣銭機２００および紙幣釣銭機３００を連結させたものが載置され、これらの硬貨釣銭機２００および紙幣釣銭機３００の上面にＰＯＳレジスタ４００が更に載置されるような構成となっている。このような貨幣処理システム１では、硬貨釣銭機２００において釣銭として払い出されるべき硬貨の収納枚数が不足したときには、店員は棒金収納庫１００から棒金硬貨を取り出し、この棒金硬貨の包装を解いてバラ硬貨とし、このバラ硬貨を釣銭用の硬貨として硬貨釣銭機２００に収納するようになっている。
【００２５】
本実施の形態では、硬貨釣銭機２００および紙幣釣銭機３００は互いに通信接続されており、これらの硬貨釣銭機２００および紙幣釣銭機３００は、硬貨釣銭機２００に設けられた表示部２１２（後述）および操作部２１４（後述）により操作することができるようになっている。また、硬貨釣銭機２００はＰＯＳレジスタ４００にも通信接続されており、このＰＯＳレジスタ４００でも硬貨釣銭機２００および紙幣釣銭機３００の操作を行うことができるようになっている。また、棒金収納庫１００は硬貨釣銭機２００に通信接続されており、この棒金収納庫１００の状態情報（後述）は硬貨釣銭機２００の表示部２１２に表示されるようになっている。また、図２および図３に示すようにＰＯＳレジスタ４００は店舗サーバ５００に通信接続されており、硬貨釣銭機２００や紙幣釣銭機３００における貨幣の処理状況や在高等の情報がＰＯＳレジスタ４００から店舗サーバ５００に送信されるようになっている。
【００２６】
以下、これらの棒金収納庫１００、硬貨釣銭機２００、紙幣釣銭機３００およびＰＯＳレジスタ４００の構成の詳細について説明する。
【００２７】
棒金収納庫１００は、略直方体形状の筐体１０２と、筐体１０２に対して引き出し自在に設けられた収納ドロア１０４とを有している。図１は、棒金収納庫１００の筐体１０２に収納ドロア１０４が完全に収容されたときの状態を示している。
【００２８】
図２に示すように、収納ドロア１０４には３つの棒金硬貨収納部１１０、１１２、１１４が設けられており、各棒金硬貨収納部１１０、１１２、１１４には複数の棒金硬貨が図２における上下方向に一列に並ぶよう収納されるようになっている。より詳細には、各棒金硬貨収納部１１０、１１２、１１４には複数の棒金硬貨収納部分が図２における上下方向に一列に並ぶよう設けられており、各棒金硬貨収納部分にはそれぞれ棒金硬貨の複数の金種のうち一の金種が割り当てられている。そして、各棒金硬貨収納部分は、対応する金種の棒金硬貨が収納されるような大きさとなっている。例えば、棒金硬貨収納部１１０は、５００円の棒金硬貨が収納可能な１つの棒金硬貨収納部分と、１００円の棒金硬貨が収納可能な４つの棒金硬貨収納部分とを有しており、棒金硬貨収納部１１２は、５０円の棒金硬貨が収納可能な１つの棒金硬貨収納部分と、１０円の棒金硬貨が収納可能な４つの棒金硬貨収納部分とを有しており、棒金硬貨収納部１１４は、５円の棒金硬貨が収納可能な１つの棒金硬貨収納部分と、１円の棒金硬貨が収納可能な４つの棒金硬貨収納部分とを有している（図７参照）。
【００２９】
また、収納ドロア１０４には予備紙幣収納部１１６、予備硬貨収納部１１８、オーバーフロー硬貨収納部１２０、損貨収納部１２２がそれぞれ設けられている。予備紙幣収納部１１６には、予備としてのバラ紙幣が収納されるようになっており、予備硬貨収納部１１８には予備としてのバラ硬貨が収納されるようになっている。また、オーバーフロー硬貨収納部１２０には、硬貨釣銭機２００において機体内の硬貨収納部２０８（後述）が満杯であるため収納することができないようなオーバーフロー硬貨が収納されるようになっている。また、損貨収納部１２２には、硬貨釣銭機２００や紙幣釣銭機３００において損貨と判断された硬貨や紙幣が収納されるようになっている。また、収納ドロア１０４には現金外収納部１２４が設けられており、この現金外収納部１２４には紙幣や硬貨以外の有価媒体（例えば、商品券や小切手等）が収納されるようになっている。また、本実施の形態では、予備硬貨収納部１１８、オーバーフロー硬貨収納部１２０、損貨収納部１２２および現金外収納部１２４が１枚の蓋で覆われるようになっている。そして、予備硬貨収納部１１８、オーバーフロー硬貨収納部１２０、損貨収納部１２２および現金外収納部１２４を１枚の蓋で閉めた状態で、収納ドロア１０４を筐体１０２に収容するようになっている。
【００３０】
また、本実施の形態では、棒金収納庫１００には、筐体１０２に収容された収納ドロア１０４をロックするためのロック機構１６０が設けられている。このロック機構１６０は、筐体１０２からの収納ドロア１０４の引き出しを阻止／容認するロック／ロック解除を行うようになっている。ここで、収納ドロア１０４が筐体１０２に完全に収容され、ロック機構１６０により収納ドロア１０４が筐体１０２にロックされた状態にあるときに、収納ドロア１０４を筐体１０２から引き出したいときには、手動で収納ドロア１０４を筐体１０２の奥方に更に押し込むことによりロック機構１６０による収納ドロア１０４のロックが解除され、さらに筐体１０２の内部奥方に設けられたバネ部材（図示せず）により、ロックが解除された収納ドロア１０４が筐体１０２の前方へ所定量飛び出すようになっており、棒金硬貨を出し入れするには筐体１０２の前方へ飛び出した収納ドロア１０４を全開位置まで手動で引き出すようになっている。また、収納ドロア１０４が筐体１０２から前方に引き出されているときに、この収納ドロア１０４を筐体１０２に収容させたいときには、手動で収納ドロア１０４を筐体１０２の内部に押し込むことによってロック機構１６０により収納ドロア１０４が筐体１０２にロックされるようになる。
【００３１】
図３に示すように、棒金収納庫１００には、当該棒金収納庫１００の各構成要素の制御を行う制御部１５０と、記憶部１５２と、インターフェース１５４とがそれぞれ設けられている。ここで、棒金収納庫１００の制御部１５０は、インターフェース１５４により他の装置、具体的には硬貨釣銭機２００との間で信号の送受信を行うことができるようになっている。また、記憶部１５２には、次に説明する在高検出手段１３０により検出された棒金収納庫１００の在高等の情報が記憶されるようになっている。
【００３２】
棒金収納庫１００には、この棒金収納庫１００の在高を検出する在高検出手段１３０が設けられている（図３参照）。在高検出手段１３０の構成の詳細について図４および図５を用いて説明する。本実施の形態では、棒金収納庫１００の収納ドロア１０４の各棒金硬貨収納部１１０、１１２、１１４に対応して棒金硬貨穴センサ１３２および棒金硬貨径センサ１３４がそれぞれ設けられている。これらの棒金硬貨穴センサ１３２および棒金硬貨径センサ１３４は、それぞれ、フォトインララプタセンサ（対向する発光部および受光部を有しており、発光部からの光が物体により遮られることを受光部で検出することによって物体の有無等を判定するセンサ）からなる。図４および図５では、３つの棒金硬貨収納部１１０、１１２、１１４のうち棒金硬貨収納部１１０を例にして説明する。
【００３３】
図４および図５に示すように、一つの棒金硬貨収納部１１０に対してこの棒金硬貨収納部１１０を挟むよう棒金硬貨穴センサ１３２の発光部および受光部、ならびに棒金硬貨径センサ１３４の発光部および受光部がそれぞれ筐体１０２に設けられている。また、棒金収納庫１００には、筐体１０２に対する収納ドロア１０４の引き出し量を検出するためのロータリエンコーダ１０６が１つ設けられている。棒金硬貨穴センサ１３２の発光部および受光部は、棒金硬貨収納部１１０を左右方向から挟むよう配設されており、この棒金硬貨穴センサ１３２は、筐体１０２から収納ドロア１０４が引き出されるとき、および収納ドロア１０４が筐体１０２に図４および図５の矢印方向に押し込まれて収容されるときに、棒金硬貨収納部１１０の各棒金硬貨収納部分に収納されている棒金硬貨の穴の有無を検出するようになっている。より詳細には、図５に示すように、棒金硬貨収納部１１０の各棒金硬貨収納部分の側面には穴検出用のスリット１３６が設けられており、各棒金硬貨収納部分に収納されている棒金硬貨の中心に穴が設けられている場合には棒金硬貨穴センサ１３２の発光部からの光が穴検出用のスリット１３６を通って受光部で受光され、このことにより棒金硬貨が穴空き硬貨（５円硬貨、５０円硬貨）であることが検出される。一方、棒金硬貨収納部分に収納されている棒金硬貨の中心に穴が設けられていない場合には棒金硬貨穴センサ１３２の発光部からの光が棒金硬貨により遮られて受光部で受光されないようになり、このことにより棒金硬貨が穴空き硬貨ではないことが検出される。なお、棒金硬貨穴センサ１３２が棒金硬貨収納部１１０におけるどの棒金硬貨収納部分の棒金硬貨を検出しているかについては、ロータリエンコーダ１０６により検出された筐体１０２に対する収納ドロア１０４の引き出し量に基づいて決められるようになる。
【００３４】
また、棒金硬貨径センサ１３４の発光部および受光部は、棒金硬貨収納部１１０を上下方向から挟むよう配設されており、この棒金硬貨径センサ１３４は、筐体１０２から収納ドロア１０４が引き出されるとき、および収納ドロア１０４が筐体１０２に図４および図５の矢印方向に押し込まれて収容されるときに、棒金硬貨収納部１１０の各棒金硬貨収納部分に収納されている棒金硬貨の径の大きさを検出するようになっている。より詳細には、図４に示すように、棒金硬貨収納部１１０の底面には径大きさ検出用のスリット１３８が設けられており、各棒金硬貨収納部分に棒金硬貨が収納されていない場合には棒金硬貨径センサ１３４の発光部からの光が径大きさ検出用のスリット１３８を通って受光部で受光される。一方、各棒金硬貨収納部分に棒金硬貨が収納されている場合には棒金硬貨径センサ１３４の発光部からの光が棒金硬貨により遮られて受光部で受光されないようになる。そして、棒金硬貨径センサ１３４の発光部からの光が棒金硬貨により遮られている間における、ロータリエンコーダ１０６により検出された筐体１０２に対する収納ドロア１０４の引き出し量に基づいて、この棒金硬貨の径の大きさが算出される。
【００３５】
このようにして、在高検出手段１３０の棒金硬貨穴センサ１３２および棒金硬貨径センサ１３４により、収納ドロア１０４の各棒金硬貨収納部１１０、１１２、１１４の各棒金硬貨収納部分に棒金硬貨が収納されているか否か、そして収納されている場合にはこの棒金硬貨の径の大きさや穴の有無に基づいて当該棒金硬貨の金種が判別されるようになる。また、在高検出手段１３０は、棒金硬貨穴センサ１３２や棒金硬貨径センサ１３４に限定されることはなく、他の種類のセンサにより、収納ドロア１０４における各棒金硬貨収納部１１０、１１２、１１４以外の収納部の在高も検出することができるようになっていてもよい。
【００３６】
また、収納ドロア１０４の現金外収納部１２４の底面の所定位置にも、棒金硬貨径センサ１３４用の開口（図示せず）が設けられている。現金外収納部１２４の底面における開口が設けられる位置は、棒金硬貨径センサ１３４の発光部から受光部へ送られる光が通過する領域であって、この現金外収納部１２４に収納された有価媒体では隠れないが（例えば、現金外収納部１２４の前端または後端近傍の区切られた区域）、この現金外収納部１２４等を覆う蓋により隠れるような位置となっている。すなわち、現金外収納部１２４等を覆う蓋は、現金外収納部１２４の底面における開口を隠すような形状となっている。そして、収納ドロア１０４が筐体１０２に完全に収容されたときに、ロータリエンコーダ１０６の情報に基づいて、この開口が所定の位置にあるはずのタイミングで、棒金硬貨径センサ１３４の発光部からの光が受光部で受光されない場合には、予備硬貨収納部１１８、オーバーフロー硬貨収納部１２０、損貨収納部１２２および現金外収納部１２４が蓋で覆われておりこの蓋で遮光が行われたと判断される。一方、棒金硬貨径センサ１３４の発光部からの光が受光部で受光された場合には、現金外収納部１２４等を蓋で閉めていない状態（蓋を閉め忘れた状態）で収納ドロア１０４が筐体１０２に収容されたと判断されるようになる。
【００３７】
また、棒金収納庫１００には、当該棒金収納庫１００において異常状態が発生しているときにこのことを検出する異常状態検出手段１４０が設けられている（図３参照）。異常状態検出手段１４０により検出されるべき異常状態は予め複数種類設定されている。具体的には、異常状態検出手段１４０は、各棒金硬貨収納部１１０、１１２、１１４の各棒金硬貨収納部分に誤った金種の棒金硬貨が収納されていたり、収納ドロア１０４の先頭や奥に異物が挟まっていたりしたときに、棒金収納庫１００において異常状態が発生していると判断するようになっている。異常状態検出手段１４０により検出されるべき異常状態の種類およびその具体的内容を図６に示す。「現金外収納部蓋忘れ検知」とは、収納ドロア１０４の予備硬貨収納部１１８、オーバーフロー硬貨収納部１２０、損貨収納部１２２および現金外収納部１２４に対して蓋を閉め忘れた状態で収納ドロア１０４を筐体１０２に完全に収容したときに異常状態として検出されることをいう。また、「径穴該当金種なし」とは、各棒金硬貨収納部１１０、１１２、１１４の各棒金硬貨収納部分に、当該棒金硬貨収納部分に対応した金種の棒金硬貨が入れられていないときに異常状態として検出されることをいう。なお、「ドロア１〜３」は、それぞれ各棒金硬貨収納部１１０、１１２、１１４のことを示している。また、「収納位置異常」とは、各棒金硬貨収納部１１０、１１２、１１４の各棒金硬貨収納部分に、当該棒金硬貨収納部分に対応した金種の棒金硬貨が入れられていないときに異常状態として検出されることをいう。また、「最終遮光板位置異常」とは、収納ドロア１０４の奥に異物が挟まっているときに異常状態として検出されることをいう。また、「ドロア開閉時遮光板チェック」とは、収納ドロア１０４の先頭に異物が挟まっているときに異常状態として検出されることをいう。
【００３８】
また、異常状態検出手段１４０により検出されるべき異常状態について、「ハーフロック検知」とは、収納ドロア１０４を閉めたがハーフロック状態だったときに異常状態として検出されることをいう。また、「速度異常」とは、収納ドロア１０４を閉める速度が所定値よりも大きかった場合に異常状態として検出されることをいう。また、「センサ異常」とは、棒金硬貨穴センサ１３２や棒金硬貨径センサ１３４等の各種センサの調整が失敗した状態のまま棒金収納庫１００が使用されているときに異常状態として検出されることをいう。また、「禁止中の引き出し検知」とは、棒金収納庫１００の制御部１５０において収納ドロア１０４を筐体１０２から引き出す動作が禁止されているときに収納ドロア１０４が筐体１０２から引き出された際に異常状態として検出されることをいう。また、「開許可中トレー異常オープンチェック」とは、筐体１０２から収納ドロア１０４を引き出したりこの筐体１０２に収納ドロア１０４を収容したりする際に棒金硬貨穴センサ１３２や棒金硬貨径センサ１３４等の各種センサに異常が生じたときに異常状態として検出されることをいう。また、「設定変更」とは、棒金収納庫１００の稼働中に制御部１５０において５００円の棒金硬貨の巻数の設定が変更されたときに異常状態として検出されることをいう。また、「インタラプタ破損チェック」とは、棒金収納庫１００に設けられた棒金硬貨穴センサ１３２や棒金硬貨径センサ１３４等のインタラプタセンサが壊れている可能性があるときに異常状態として検出されることをいう。
【００３９】
図６に示すように、異常状態検出手段１４０により検出されるべき異常状態の各種類には、それぞれ「表示方法１」または「表示方法２」のうちいずれか一方が割り当てられている。そして、異常状態検出手段１４０により実際に異常状態が検出されたときには、この異常状態の各種類に対応する表示方法に基づいて硬貨釣銭機２００の表示部２１２における表示内容が決まるようになる。ここで、硬貨釣銭機２００の記憶部２２２（後述）には、複数の表示内容が、予め設定された複数の種類の異常状態に関連付けて記憶されるようになっている。そして、硬貨釣銭機２００の表示部２１２は、記憶部２２２に記憶された複数の表示内容のうち、異常状態検出手段１４０により検出された異常状態の種類に対応する一の表示内容を表示するようになっている。硬貨釣銭機２００の表示部２１２における表示内容の詳細については後述する。
【００４０】
また、異常状態検出手段１４０は、収納ドロア１０４における異常状態が発生した場所の検出も行うことができるようになっている。具体的には、収納ドロア１０４における異常状態が発生した場所として、図７における（ａ）〜（ｊ）のうちいずれか一つの場所が異常状態検出手段１４０により検出されるようになる。ここで、図７における（ａ）〜（ｃ）の場所は、それぞれ棒金硬貨収納部１１０、１１２、１１４を示しており、図７における（ｄ）の場所は、予備紙幣収納部１１６、予備硬貨収納部１１８、オーバーフロー硬貨収納部１２０、損貨収納部１２２および現金外収納部１２４を含む領域を示している。また、図７における（ｅ）〜（ｇ）の場所は、それぞれ収納ドロア１０４における棒金硬貨収納部１１０、１１２、１１４よりも奥の場所を示しており、図７における（ｈ）〜（ｊ）の場所は、それぞれ収納ドロア１０４における棒金硬貨収納部１１０、１１２、１１４よりも手前の場所（予備紙幣収納部１１６や予備硬貨収納部１１８等との境界部分）を示している。例えば、棒金硬貨収納部１１０のある棒金硬貨収納部分に、当該棒金硬貨収納部分に対応した金種の棒金硬貨が収納されていないときには、場所（ａ）において異常状態が発生したことが異常状態検出手段１４０により検出される。また、収納ドロア１０４における棒金硬貨収納部１１０の奥に異物が挟まっていたときには、場所（ｅ）において異常状態が発生したことが異常状態検出手段１４０により検出される。
【００４１】
次に、硬貨釣銭機２００の構成の詳細について以下に説明する。図１に示すように、硬貨釣銭機２００には硬貨投入口２０２および硬貨投出口２０４が設けられており、店員が顧客から受け取った硬貨は硬貨投入口２０２に投入されることにより硬貨釣銭機２００の機体内に収納されるようになっている。また、硬貨釣銭機２００から釣銭としての硬貨が機体内から硬貨投出口２０４に投出されるようになっている。
【００４２】
図３に示すように、硬貨釣銭機２００には主制御部２２０と、記憶部２２２と、インターフェース２２４とが設けられている。ここで、硬貨釣銭機２００の主制御部２２０は、インターフェース２２４により他の装置、具体的には棒金収納庫１００、紙幣釣銭機３００およびＰＯＳレジスタ４００との間でそれぞれ信号の送受信を行うことができるようになっている。また、記憶部２２２には硬貨釣銭機２００や紙幣釣銭機３００における貨幣の処理状況や在高等の情報が記憶されるようになっている。また、図１に示すように、硬貨釣銭機２００の筐体の前方上面には表示部２１２および操作部２１４が設けられており、表示部２１２には硬貨釣銭機２００や紙幣釣銭機３００における貨幣の処理状況や在高等の情報が表示されるようになっている。また、操作部２１４は例えば６つの操作キーを有しており、表示部２１２には各操作キーに対応する操作内容が表示されるようになっている。そして、操作者が各操作キーを押下することにより、表示部２１２に表示された当該操作キーに対応する操作内容が主制御部２２０に入力されるようになっている。また、主制御部２２０は表示部２１２に指令を送ることによりこの表示部２１２に様々な情報を表示させるようになっている。
【００４３】
また、図３に示すように、硬貨釣銭機２００には硬貨制御部２５０と、記憶部２５２と、インターフェース２５４とが設けられている。硬貨制御部２５０は主に硬貨釣銭機２００の各構成要素の制御を行うようになっている。ここで、硬貨制御部２５０は、インターフェース２５４により主制御部２２０との間で信号の送受信を行うことができるようになっている。また、記憶部２５２には硬貨釣銭機２００における貨幣の処理状況や在高等の情報が記憶されるようになっている。また、図３に示すように、硬貨釣銭機２００には硬貨処理部２０６および硬貨収納部２０８が設けられている。硬貨収納部２０８は、硬貨投入口２０２により硬貨釣銭機２００の機体内に投入された硬貨を金種別に収納するようになっている。また、硬貨処理部２０６は、硬貨投入口２０２により硬貨釣銭機２００の機体内に投入された硬貨を識別し、識別された硬貨を硬貨収納部２０８に収納したり、硬貨収納部２０８に収納された硬貨を硬貨投出口２０４に投出したりするようになっている。これらの硬貨処理部２０６や硬貨収納部２０８は硬貨制御部２５０により制御されるようになっている。
【００４４】
次に、紙幣釣銭機３００の構成の詳細について以下に説明する。図１に示すように、紙幣釣銭機３００には紙幣投入口３０２および紙幣投出口３０４が設けられており、店員が顧客から受け取った紙幣は紙幣投入口３０２に投入されることにより紙幣釣銭機３００の機体内に収納されるようになっている。また、紙幣釣銭機３００から釣銭としての紙幣が機体内から紙幣投出口３０４に投出されるようになっている。
【００４５】
図３に示すように、紙幣釣銭機３００には紙幣制御部３５０と、記憶部３５２と、インターフェース３５４とが設けられている。紙幣制御部３５０は主に紙幣釣銭機３００の各構成要素の制御を行うようになっている。ここで、紙幣制御部３５０は、インターフェース３５４により硬貨釣銭機２００の主制御部２２０との間で信号の送受信を行うことができるようになっている。また、記憶部３５２には紙幣釣銭機３００における貨幣の処理状況や在高等の情報が記憶されるようになっている。また、図３に示すように、紙幣釣銭機３００には紙幣処理部３０６および紙幣収納部３０８が設けられている。紙幣収納部３０８は、紙幣投入口３０２により紙幣釣銭機３００の機体内に投入された紙幣を金種別に収納するようになっている。また、紙幣処理部３０６は、紙幣投入口３０２により紙幣釣銭機３００の機体内に投入された紙幣を識別し、識別された紙幣を紙幣収納部３０８に収納したり、紙幣収納部３０８に収納された紙幣を紙幣投出口３０４に投出したりするようになっている。これらの紙幣処理部３０６や紙幣収納部３０８は紙幣制御部３５０により制御されるようになっている。
【００４６】
次に、ＰＯＳレジスタ（金銭登録機）４００の構成の詳細について以下に説明する。前述したように、ＰＯＳレジスタ４００は店員等の操作者により操作されるようになっており、このＰＯＳレジスタ４００により店員等の操作者は硬貨釣銭機２００や紙幣釣銭機３００の操作を行うようになっている。図１に示すように、ＰＯＳレジスタ４００には、取引内容等のＰＯＳレジスタ本来の情報に加えて硬貨釣銭機２００や紙幣釣銭機３００における貨幣の処理状況や在高等の情報を表示可能な表示部４１２、および複数の操作キーからなる操作部４１４がそれぞれ設けられている。
【００４７】
図３に示すように、ＰＯＳレジスタ４００には制御部４２０と、記憶部４２２と、インターフェース４２４とが設けられている。ここで、ＰＯＳレジスタ４００の制御部４２０は、インターフェース４２４により他の装置、具体的には硬貨釣銭機２００や店舗サーバ５００との間でそれぞれ信号の送受信を行うことができるようになっている。また、記憶部４２２には硬貨釣銭機２００の主制御部２２０から送信された、硬貨釣銭機２００や紙幣釣銭機３００における貨幣の処理状況や在高等の情報が記憶されるようになっている。また、制御部４２０には表示部４１２および操作部４１４がそれぞれ接続されており、制御部４２０は表示部４１２に指令を送ることにより、表示部４１２には硬貨釣銭機２００や紙幣釣銭機３００における貨幣の処理状況や在高等の情報が表示されるようになっている。また、店員等の操作者は操作部４１４の各操作キーを押下することにより、様々な操作内容を制御部４２０に入力することができるようになっている。
【００４８】
また、図３に示すように、ＰＯＳレジスタ４００にはカードリーダ４２６およびプリンタ４２８がそれぞれ設けられている。カードリーダ４２６は、店員等の操作者が携帯するＩＤカードの読み取りを行うようになっており、このようなＩＤカードの読み取りをカードリーダ４２６で行うことによって制御部４２０において操作者の操作権限等の確認が行われるようになっている。また、プリンタ４２８により、硬貨釣銭機２００や紙幣釣銭機３００における貨幣の処理状況や在高等の情報が印字されるようになっている。
【００４９】
次に、このような構成からなる貨幣処理システム１の動作について説明する。具体的には、硬貨釣銭機２００に設けられた表示部２１２の表示内容の推移について図８および図９を用いて説明する。
【００５０】
硬貨釣銭機２００や紙幣釣銭機３００の待機時には、図８のＳＴＥＰ１に示すように、硬貨釣銭機２００の表示部２１２には図９（ａ）に示すような待機画面が表示される。この待機画面では、硬貨釣銭機２００や紙幣釣銭機３００に収納された貨幣の金種毎の枚数が表示される。なお、表示部２１２における待機画面において、図９（ａ）に示すような硬貨釣銭機２００や紙幣釣銭機３００に収納された貨幣の金種毎の枚数を示す画面から、棒金収納庫１００に収納された棒金硬貨等の貨幣の金種毎の枚数（あるいは本数）や在高を示す画面に切り替えることができるようになっていてもよい。
【００５１】
貨幣処理システム１の動作中に、棒金収納庫１００において異常状態が発生したことが異常状態検出手段１４０により検出されたときには（図８のＳＴＥＰ２の「ＹＥＳ」）、硬貨釣銭機２００の表示部２１２には図９（ｂ）に示すような収納ドロア開指令画面が表示される（図８のＳＴＥＰ３）。このような収納ドロア開指令画面では、棒金収納庫１００の手前側の収納ドロア１０４の画像とともに、「ドロアを手前いっぱいまで引き出してください。」というメッセージが表示される。なお、異常状態検出手段１４０により検出される異常状態の種類としては、図６に示すようなものが挙げられる。また、異常状態検出手段１４０は、収納ドロア１０４における異常状態が発生した場所として、図７の（ａ）〜（ｊ）の場所の中から一つの場所を検出する。
【００５２】
そして、操作者により収納ドロア１０４が筐体１０２から完全に引き出されて全開の状態になると（図８のＳＴＥＰ４の「ＹＥＳ」）、硬貨釣銭機２００の表示部２１２には復旧指令画面が表示される。一方、硬貨釣銭機２００の表示部２１２に図９（ｂ）に示すような収納ドロア開指令画面が表示されているときに、操作者がこの画面の「戻る」に対応する操作部２１４の操作キーを押下すると、棒金収納庫１００における異常状態が解除されないままであっても、硬貨釣銭機２００の表示部２１２における表示画面は図９（ａ）に示すような待機画面に戻るようになる。
【００５３】
本実施の形態では、異常状態検出手段１４０により検出される異常状態の種類によって、硬貨釣銭機２００の表示部２１２に表示される復旧指令画面の内容が異なるようになっている。前述したように、硬貨釣銭機２００の記憶部２２２には、復旧指令画面に関する複数の表示内容が、予め設定された複数の種類の異常状態に関連付けて記憶されるようになっている。そして、硬貨釣銭機２００の表示部２１２は、記憶部２２２に記憶された複数の表示内容のうち、異常状態検出手段１４０により検出された異常状態の種類に対応する一の表示内容を表示するようになっている。
【００５４】
具体的には、図６において表示方法１であると示された異常状態（「現金外収納部蓋忘れ検知」「径穴該当金種なし」「収納位置異常」「最終遮光板位置異常」「ドロア開閉時遮光板チェック」）の場合には、硬貨釣銭機２００の表示部２１２には図９（ｃ）に示すような第１の復旧指令画面が表示される（ＳＴＥＰ５）。この第１の復旧指令画面では、収納ドロア１０４における異常状態が発生した場所がレイアウト図で示されるとともに（図９（ｃ）では異常状態が発生した場所を斜線で表示）、「金種間違い、ごみなどを確認してください。」「ドロアをゆっくりとセットしてください。」というメッセージが表示される。なお、異常状態が「現金外収納部蓋忘れ検知」である場合には、図９（ｃ）に示すような第１の復旧指令画面において、「金種間違い、ごみなどを確認してください。」というメッセージの代わりに、「収納ボックス蓋をセットしてください。」というメッセージが表示されるようになっている。
【００５５】
一方、図６において表示方法２であると示された異常状態（「ハーフロック検知」「速度異常」「センサ異常」「禁止中の引き出し検知」「開許可中トレー異常オープンチェック」「設定変更」「インタラプタ破損チェック」）の場合には、硬貨釣銭機２００の表示部２１２には図９（ｄ）に示すような第２の復旧指令画面が表示される（ＳＴＥＰ６）。この第２の復旧指令画面では、収納ドロア１０４を筐体１０２に収容させる方向を示す矢印を含むイラストで示されるとともに、「ドロアをゆっくりとセットしてください。」というメッセージが表示される。このように２つの復旧指令画面を設けた理由について以下に説明する。図６において表示方法１であると示された異常状態では、棒金収納庫１００を復旧させるにあたり、操作者は誤った金種の棒金硬貨を収納ドロア１０４から取り出したり収納ドロア１０４に挟まれた異物を取り除いたりする必要があるため、このような作業をメッセージで表示するとともに収納ドロア１０４において異常状態が発生した場所を画像で示すことにより操作者が復旧作業を行うのを手助けすることで復旧作業の効率を上げることができる。一方、図６において表示方法２であると示された異常状態では、棒金収納庫１００を復旧させるにあたり操作者は単に収納ドロア１０４を筐体１０２内に戻せばいいため、収納ドロア１０４において異常状態が発生した場所を画像で示す必要はなく、操作者に対して収納ドロア１０４を筐体１０２に収容させることをアドバイスするだけでよい。このように、異常状態の種類によって復旧指令画面の内容を変えることにより、操作者に対してより的確な指令を与えることができるようになる。なお、本実施の形態では２つの復旧指令画面が設けられているが、必要に応じて復旧指令画面の数を３つ以上としてもよい。
【００５６】
その後、操作者により所定の復旧操作が行われると（図８のＳＴＥＰ７、８の「ＹＥＳ」）、図８のＳＴＥＰ９に示すように、硬貨釣銭機２００の表示部２１２における表示画面は図９（ａ）に示すような待機画面に戻るようになる。なお、硬貨釣銭機２００の表示部２１２に図９（ｃ）（ｄ）に示すような復旧指令画面が表示されているときに、操作者がこの画面の「戻る」に対応する操作部２１４の操作キーを押下した場合でも、硬貨釣銭機２００の表示部２１２における表示画面は図９（ａ）に示すような待機画面に戻るようになる。また、硬貨釣銭機２００の表示部２１２に図９（ｃ）（ｄ）に示すような復旧指令画面が表示されているときに、硬貨釣銭機２００や紙幣釣銭機３００、あるいはＰＯＳレジスタ４００において取引に関する操作が行われた場合でも、硬貨釣銭機２００の表示部２１２における表示画面は図９（ａ）に示すような待機画面に戻るようになる。
【００５７】
本実施の形態では、硬貨釣銭機２００の表示部２１２における表示内容に関して図１０に示すような優先度が設けられている。すなわち、優先度が最も高いのは「釣銭機で異常状態発生」の場合であり、「ＰＯＳレジスタからの指示」「棒金収納庫で異常状態発生」「釣銭機の通常操作画面」の順に優先度が低くなる。具体的に説明すると、硬貨釣銭機２００の表示部２１２には、通常時には、図９（ａ）に示すような待機画面のような釣銭機の通常の操作画面が表示されているが、棒金収納庫１００において異常状態検出手段１４０が棒金収納庫１００の異常状態を検出したときには、図９（ｂ）〜（ｄ）に示すような棒金収納庫１００の異常状態に関する情報が釣銭機の通常の操作画面よりも優先的に硬貨釣銭機２００の表示部２１２に表示されるようになる。また、硬貨釣銭機２００の表示部２１２に、棒金収納庫１００の異常状態に関する情報や、釣銭機の通常の操作画面が表示されているときでも、ＰＯＳレジスタ４００から硬貨釣銭機２００に指示が与えられたときには、ＰＯＳ取引は貨幣処理システム１の正常稼働時の最優先事項であるため、ＰＯＳレジスタ４００から硬貨釣銭機２００に与えられた指示に関する情報が優先的に硬貨釣銭機２００の表示部２１２に表示されるようになる。また、硬貨釣銭機２００や紙幣釣銭機３００において異常状態が発生した場合には、このような異常はシステム異常のため、硬貨釣銭機２００の表示部２１２にはこの硬貨釣銭機２００や紙幣釣銭機３００における異常状態の情報が最優先で表示されるようになる。このように、硬貨釣銭機２００の表示部２１２における表示内容に関して図１０に示すような優先度を設けることにより、様々なイベントやトラブルの発生時に本当に必要な情報が硬貨釣銭機２００の表示部２１２に表示されるようになる。なお、優先順位が高い情報が表示されている状態であっても、所定の操作が行われることにより、優先順位が低い情報の表示に切り替えることが可能である。
【００５８】
以上のように本実施の形態の貨幣処理システム１によれば、複数の棒金硬貨を収納可能な棒金収納庫１００とは別に、この棒金収納庫１００の状態情報を表示するための表示部を有する外部装置が設けられている。このように、棒金収納庫１００とは別に設けられた外部装置の表示部にこの棒金収納庫１００の状態情報を表示させることにより、棒金収納庫１００に設けられた表示ランプにこの棒金収納庫１００の状態情報を表示させる場合と比較して、操作者が棒金収納庫１００の状態情報をより容易かつ確実に確認することができる。すなわち、棒金収納庫１００に設けられた表示ランプにこの棒金収納庫１００の状態情報を表示させる場合には、各表示ランプにおける表示内容と、各棒金硬貨収納部分との間の位置対応関係がわかりにくいという問題がある。具体的には、ある表示ランプにおいて赤色が点灯しているが、どの棒金硬貨収納部分で棒金硬貨が適切に収納されていないのかが一目で分からないという問題がある。また、棒金収納庫１００において収納異常状態が発生したことが表示ランプに表示されたときに、操作者がどのような対処を行えばよいかが分かりにくいという問題がある。さらに、棒金収納庫１００の収納ドロア１０４の前面に複数の表示ランプを設けた場合には、このような各表示ランプによる表示が小さい上に、棒金収納庫１００は硬貨釣銭機２００、紙幣釣銭機３００、ＰＯＳレジスタ４００の下方に配置されるため、各表示ランプの表示内容を位置的に見にくいという問題があり、ある表示ランプが赤色に点灯している場合でも操作者が見逃してしまうおそれがある。これに対し、本実施の形態による貨幣処理システム１では、このような問題を解消することができる。
【００５９】
また、本実施の形態の貨幣処理システム１においては、上述のように、棒金収納庫１００において異常状態が発生しているときにこのことを検出する異常状態検出手段１４０が設けられており、外部装置の表示部（例えば、硬貨釣銭機２００の表示部２１２）は、状態情報として異常状態検出手段１４０により検出された異常状態に関する情報を表示するようになっている。
【００６０】
ここで、図６に示すように、異常状態検出手段１４０により検出されるべき異常状態は予め複数種類設定されており、外部装置の表示部（例えば、硬貨釣銭機２００の表示部２１２）は、異常状態検出手段１４０により検出された異常状態の種類によって表示内容を変えるようになっている（図９（ｃ）（ｄ）参照）。
【００６１】
また、この場合、硬貨釣銭機２００の記憶部２２２において、複数の表示内容が、予め設定された複数の種類の異常状態に関連付けて記憶されるようになっており、外部装置の表示部（例えば、硬貨釣銭機２００の表示部２１２）は、記憶部２２２に記憶された複数の表示内容のうち、異常状態検出手段１４０により検出された異常状態の種類に対応する一の表示内容を表示するようになっている。
【００６２】
なお、本実施の形態の貨幣処理システム１においては、外部装置の表示部（例えば、硬貨釣銭機２００の表示部２１２）は、状態情報として、異常状態検出手段１４０により検出された異常状態に関する情報の代わりに、あるいはこの情報に加えて、在高検出手段１３０により検出された棒金収納庫１００の在高を表示するようになっていてもよい。
【００６３】
本実施の形態の貨幣処理システム１においては、外部装置は、貨幣の処理を行う貨幣処理装置（具体的には、硬貨釣銭機２００）であり、この硬貨釣銭機２００の表示部２１２は、図１０の表に示すように、異常状態検出手段１４０によって棒金収納庫１００において異常状態が発生していることが検出されたときに硬貨釣銭機２００や紙幣釣銭機３００等の貨幣処理装置の操作画面（具体的には、図９（ａ）に示すような待機画面）よりも異常状態検出手段１４０により検出された棒金収納庫１００の異常状態に関する情報を優先して表示するようになっている。また、硬貨釣銭機２００の表示部２１２は、硬貨釣銭機２００や紙幣釣銭機３００等の貨幣処理装置において異常状態が発生しているときに、棒金収納庫１００の状態情報よりも貨幣処理装置の異常状態に関する情報を優先して表示するようになっている。
【００６４】
なお、本実施の形態では、棒金収納庫１００の状態情報を表示するための表示部は、硬貨釣銭機２００の表示部２１２に限定されることはない。硬貨釣銭機２００の表示部２１２の代わりに、あるいはこの表示部２１２に加えて、ＰＯＳレジスタ４００の表示部４１２が棒金収納庫１００の状態情報（具体的には、異常状態検出手段１４０により検出された棒金収納庫１００の異常状態に関する情報や在高検出手段１３０により検出された棒金収納庫１００の在高に関する情報）が表示されるようになっていてもよい。棒金収納庫１００の状態情報をＰＯＳレジスタ４００の表示部４１２に表示させる場合には、この表示部４１２は硬貨釣銭機２００の表示部２１２よりも大きいため、操作者にとって棒金収納庫１００の状態情報をより見やすくなる。
【００６５】
また、本実施の形態では、図１０の表に示すように、硬貨釣銭機２００の表示部２１２は、棒金収納庫１００の状態情報よりもＰＯＳレジスタ４００から硬貨釣銭機２００に送信された指示内容を優先して表示するようになっている。
【００６６】
本実施の形態による棒金収納庫１００では、当該棒金収納庫１００において異常状態が発生しているときにこのことを検出する異常状態検出手段１４０と、異常状態検出手段１４０により検出された異常状態に関する情報をこの棒金収納庫１００とは別に設けられた外部装置に送信する通信部（具体的には、インターフェース１５４）とがそれぞれ設けられている。このような棒金収納庫１００によれば、当該棒金収納庫１００とは別に設けられた外部装置の表示部にこの棒金収納庫１００の状態情報を表示させることにより、棒金収納庫１００に設けられた表示ランプにこの棒金収納庫１００の状態情報を表示させる場合と比較して、操作者が棒金収納庫１００の状態情報をより容易かつ確実に確認することができる。
【００６７】
なお、本実施の形態による貨幣処理システム１は、上述したような態様に限定されることはなく、様々な変更を加えることができる。
【００６８】
例えば、棒金収納庫１００の収納ドロア１０４に設けられる各収納部は、図２や図７に示すようなものに限定されることはない。他の種類の収納ドロア１０４ａとして、図１１に示すような、複数の棒金硬貨が図１１における上下方向に沿って一列に並ぶよう収納される棒金硬貨収納部１２６のみが複数（具体的には、６つ）設けられたような構成としてもよい。図１１に示すような収納ドロア１０４ａでは、２つの棒金硬貨収納部１２６はそれぞれ、５００円の棒金硬貨が収納可能な１つの棒金硬貨収納部分と、１００円の棒金硬貨が収納可能な４つの棒金硬貨収納部分とを有しており、別の２つの棒金硬貨収納部１２６は、５０円の棒金硬貨が収納可能な１つの棒金硬貨収納部分と、１０円の棒金硬貨が収納可能な４つの棒金硬貨収納部分とを有しており、更に別の２つの棒金硬貨収納部１２６は、５円の棒金硬貨が収納可能な１つの棒金硬貨収納部分と、１円の棒金硬貨が収納可能な４つの棒金硬貨収納部分とを有している。このような態様によれば、棒金硬貨の収納本数を多くすることができる。
【００６９】
また、図１１に示すような収納ドロア１０４ａが用いられる場合には、異常状態検出手段１４０は、異常状態が発生した場所として、図１１における（ａ）〜（ｌ）のうちいずれか一つの場所を検出するようになる。ここで、図１１における（ａ）〜（ｆ）の場所は、それぞれ各棒金硬貨収納部１２６を示している。また、図１１における（ｇ）〜（ｉ）の場所は、それぞれ収納ドロア１０４ａにおける後列の各棒金硬貨収納部１２６よりも奥の場所を示しており、図１１における（ｊ）〜（ｌ）の場所は、それぞれ収納ドロア１０４ａにおける前列の各棒金硬貨収納部１２６よりも手前の場所を示している。例えば、図１１における左上の棒金硬貨収納部１２６のある棒金硬貨収納部分に、当該棒金硬貨収納部分に対応した金種の棒金硬貨が収納されていないときには、場所（ａ）において異常状態が発生したことが異常状態検出手段１４０により検出される。また、収納ドロア１０４ａにおける左上の棒金硬貨収納部１２６の奥に異物が挟まっていたときには、場所（ｇ）において異常状態が発生したことが異常状態検出手段１４０により検出される。
【００７０】
図１１に示すような収納ドロア１０４ａが用いられた場合でも、本実施の形態では、棒金収納庫１００とは別に設けられた外部装置の表示部（例えば、硬貨釣銭機２００の表示部２１２）にこの棒金収納庫１００の状態情報を表示させるようになっており、このことにより、棒金収納庫１００に設けられた表示ランプにこの棒金収納庫１００の状態情報を表示させる場合と比較して、操作者が棒金収納庫１００の状態情報をより容易かつ確実に確認することができる。
【００７１】
また、本実施の形態では、棒金収納庫１００の収納ドロアのレイアウトパターンを変更可能となっていてもよい。すなわち、棒金収納庫１００の筐体１０２に対し、図２に示すような収納ドロア１０４、および図１１に示すような収納ドロア１０４ａを選択的に収容させることができるようになっていてもよい。具体的には、棒金収納庫１００の筐体１０２に図２に示すような収納ドロア１０４が収容されているときに、この収納ドロア１０４を筐体１０２から取り外して代わりに図１１に示すような収納ドロア１０４ａを収容させることができるようになる。この場合には、棒金収納庫１００には、筐体１０２にどの種類の収納ドロアが収容されたかを検出するための収納ドロア種類検出手段（図示せず）が設けられていてもよい。より詳細には、各収納ドロア１０４、１０４ａにそれぞれ、収納ドロアの種類に関する情報が記憶されたＩＣタグ等が設けられており、筐体１０２には各収納ドロア１０４、１０４ａに設けられたＩＣタグの情報を読み取るＩＣタグリーダが設けられている。そして、各収納ドロア１０４、１０４ａが筐体１０２に収容されたときにこの収納ドロア１０４、１０４ａに設けられたＩＣタグの情報がＩＣタグリーダにより読み取られることにより筐体１０２に収容された収納ドロアの種類が検出される。そして、収納ドロア種類検出手段により検出された収納ドロアの種類に関する情報に基づいて、硬貨釣銭機２００の表示部２１２に表示される収納ドロアの各収納部の表示内容が変わるようになる。具体的には、図２に示すような収納ドロア１０４が筐体１０２に収容されたときには、棒金収納庫１００に関する情報（例えば、異常状態の発生場所に関する情報）が硬貨釣銭機２００の表示部２１２に表示される際に、この表示部２１２には、３つの棒金硬貨収納部１１０、１１２、１１４、予備紙幣収納部１１６、予備硬貨収納部１１８、オーバーフロー硬貨収納部１２０、損貨収納部１２２、現金外収納部１２４がそれぞれ表示される。一方、図１１に示すような収納ドロア１０４ａが筐体１０２に収容されたときには、棒金収納庫１００に関する情報が硬貨釣銭機２００の表示部２１２に表示される際に、この表示部２１２には、６つの棒金硬貨収納部１２６がそれぞれ表示される。このように、本実施の形態では、棒金収納庫１００の収納ドロアのレイアウトパターンをユーザーニーズに合ったものに変更可能となっている。
【００７２】
また、硬貨釣銭機２００の表示部２１２に、異常状態検出手段１４０により検出された棒金収納庫１００の異常状態に関する情報を表示する際に、図７や図１１に示すような、棒金硬貨収納部１１０、１１２、１１４や棒金硬貨収納部１２６のエリア単位ではなく、これらの棒金硬貨収納部における個別の棒金硬貨収納部分単位で異常状態の発生場所を表示してもよい。すなわち、異常状態の発生場所に係る情報として、例えば棒金硬貨収納部１１０における前から２番目の棒金硬貨収納部分で異常状態が発生したことを硬貨釣銭機２００の表示部２１２に表示させてもよい。
【００７３】
また、棒金収納庫１００における棒金硬貨の在高を検出するための在高検出手段１３０は、図４および図５に示すような、筐体１０２に設けられた棒金硬貨穴センサ１３２および棒金硬貨径センサ１３４からなるものに限定されることはない。他の態様として、収納ドロア１０４の各棒金硬貨収納部１１０、１１２、１１４の各棒金硬貨収納部分にそれぞれ棒金硬貨検出手段が設けられていてもよい。この場合には、各棒金硬貨収納部１１０、１１２、１１４の各棒金硬貨収納部分にそれぞれ設けられた棒金硬貨検出手段は、例えば棒金硬貨有無検出センサ、棒金硬貨材質検出センサ、棒金硬貨長さ検出センサ等からなり、各棒金硬貨収納部分に設けられた棒金硬貨検出手段による棒金硬貨の検出情報に基づいて、棒金収納庫１００における棒金硬貨の在高が検出される。このような態様では、収納ドロア１０４の開閉を行わなくても、棒金収納庫１００における棒金硬貨の在高や、棒金収納庫１００において異常状態が発生したか否かを即座に検出することができるようになる。
【００７４】
また、異常状態検出手段１４０により棒金収納庫１００の異常状態が検出されていない場合でも、棒金収納庫１００において収納ドロア１０４に棒金硬貨が収納された状態でこの収納ドロア１０４が筐体１０２から引き出されてドロア開状態となった後、所定時間（例えば、１分）放置されたときには、操作者に対して筐体１０２に収納ドロア１０４を収容させる動作を促進するために、硬貨釣銭機２００の表示部２１２においてドロア閉を操作者に催促する指令画面（例えば、図９（ｄ）に示すような画面）が表示されるようになっていてもよい。
【００７５】
また、更なる変形例として、棒金収納庫１００の筐体１０２から収納ドロア１０４を引き出す方法を自在に変更することができるようになっていてもよい。すなわち、上述した実施の形態では、棒金収納庫１００にはロック機構１６０が設けられており、操作者が筐体１０２から収納ドロア１０４を引き出す際に、収納ドロア１０４を筐体１０２の奥方に更に押し込むことによりロック機構１６０による収納ドロア１０４のロックが解除され、さらに筐体１０２の内部奥方に設けられたバネ部材（図示せず）により、ロックが解除された収納ドロア１０４が筐体１０２の前方に飛び出すような方法が用いられているが、このような方法に加えて、ＰＯＳレジスタ４００から硬貨釣銭機２００の主制御部２２０に収納ドロアの開指令が与えられることにより、ロック機構１６０による収納ドロア１０４のロックが自動的に解除されてこの収納ドロア１０４が引き出し可能となるような方法が選択的に行われるようになっていてもよい。この場合には、操作者は、硬貨釣銭機２００の表示部２１２や操作部２１４、あるいはＰＯＳレジスタ４００によって、収納ドロア１０４を引き出す方法をどちらの方法にするかについて選択することができるようになっており、選択された収納ドロア１０４の開方法が用いられるようになる。
【００７６】
また、本実施の形態では、操作者が硬貨釣銭機２００の表示部２１２や操作部２１４、あるいはＰＯＳレジスタ４００を操作することによって、棒金収納庫１００の電源のオン／オフの切り替えを行うことができるようになっていてもよい。
【００７７】
また、硬貨釣銭機２００にブザーを設置しておき、硬貨釣銭機２００の表示部２１２に、異常状態検出手段１４０により検出された棒金収納庫１００の異常状態に関する情報を表示する際に、ブザーにより警告音を発するようにし、操作者に対して視覚的効果および聴覚的効果を併用して棒金収納庫１００の異常状態を報知するようになっていてもよい。
【００７８】
また、本実施の形態では、棒金収納庫１００において異常状態が発生したときに、硬貨釣銭機２００や紙幣釣銭機３００等の運用から棒金収納庫１００を切り離すことができるようになっていてもよい。具体的に説明すると、従来では、棒金収納庫１００において異常状態が発生したときには、貨幣処理システム１全体としてシステムエラー状態となってしまい、このような棒金収納庫１００における異常状態が解除されるまでの間、硬貨釣銭機２００や紙幣釣銭機３００等でも取引を行うことができなかった。このように、従来では、通常の取引において棒金収納庫１００が使用されないにもかかわらず、このような棒金収納庫１００にて異常状態が発生したときに硬貨釣銭機２００や紙幣釣銭機３００等でも取引を行うことができなかったため、操作者にとって非常に不便であるという問題があった。
【００７９】
これに対し、本実施の形態では、棒金収納庫１００において異常状態が発生した際に、硬貨釣銭機２００の表示部２１２において操作部２１４のある操作キーに対応する箇所に、「切り離し」の指令が表示されるようになっていてもよい（図１２参照）。そして、操作者がこの「切り離し」の指令に対応する操作部２１４の操作キーを押下することにより、硬貨釣銭機２００や紙幣釣銭機３００等の運用から棒金収納庫１００が切り離されるようになる。このような棒金収納庫１００の切り離しを、「縮退運用」ともいう。そして、操作者が表示部２１２に表示された「切り離し」の指令に対応する操作部２１４の操作キーを押下した後、表示部２１２に表示された「リセット」の指令に対応する操作部２１４の操作キーを押下することにより、表示部２１２には図９（ａ）に示すような待機画面が表示され、硬貨釣銭機２００や紙幣釣銭機３００の運用が可能となり、紙幣や硬貨の取引を行うことができるようになる。なお、縮退運用中に表示される待機画面に、縮退運用中である旨を示すマーク等を付加してもよい。
【００８０】
また、上述のような縮退運用を行った場合でも、収納ドロア１０４が筐体１０２に収容された際にロック機構１６０により収納ドロア１０４のロックを行うことができるようになっていてもよい。このことにより、棒金収納庫１００において異常状態が発生し、この棒金収納庫１００の運用が硬貨釣銭機２００や紙幣釣銭機３００等から切り離された場合でも、ロック機構１６０により収納ドロア１０４のロックを行うことによって収納ドロア１０４内の棒金硬貨等が盗難されることを防止することができ、セキュリティを向上させることができる。
【００８１】
また、上述した態様では、棒金収納庫１００において、筐体１０２に対する収納ドロア１０４の引き出し量を検出するためのロータリエンコーダ１０６が１つ設けられた例について説明したが、変形例として、２つのロータリエンコーダ１０６が棒金収納庫１００の筐体１０２の幅方向における両端部にそれぞれ設けられるような態様が用いられてもよい。この場合には、棒金硬貨径センサ１３４により棒金硬貨の径の大きさが検出される際に、収納ドロア１０４が筐体１０２に対して傾いた場合でも、棒金硬貨の径の大きさを精度良く検出することができるようになる。このような変形例の詳細について図１３および図１４を用いて以下に説明する。なお、図１３は、棒金収納庫１００にロータリエンコーダ１０６が１つしか設けられていない場合における、筐体１０２からの収納ドロア１０４の引き出し動作を上方から見たときの図であり、図１４は、棒金収納庫１００にロータリエンコーダ１０６が２つ設けられている場合における、筐体１０２からの収納ドロア１０４の引き出し動作を上方から見たときの図である。
【００８２】
棒金収納庫１００にロータリエンコーダ１０６が１つしか設けられていない場合には、図１３に示すように筐体１０２から収納ドロア１０４を引き出す際にこの収納ドロア１０４が筐体１０２に対して傾いてしまったときに、棒金硬貨径センサ１３４により棒金硬貨の径の大きさが検出される際に実際の棒金硬貨の径の大きさと棒金硬貨径センサ１３４により検出された棒金硬貨の径の大きさとが異なってしまうときがある。すなわち、棒金硬貨の径の大きさを検出する際に、前述のように、棒金硬貨径センサ１３４の発光部からの光が棒金硬貨により遮られて受光部により受光されない間における、ロータリエンコーダ１０６により検出された筐体１０２に対する収納ドロア１０４の引き出し量に基づいて、この棒金硬貨の径の大きさが検出されるが、筐体１０２から収納ドロア１０４を引き出す際にこの収納ドロア１０４が筐体１０２に対して傾いてしまうと、当該収納ドロア１０４に収納された棒金硬貨も筐体１０２に対して傾いてしまい、棒金硬貨が筐体１０２に対して傾いていない場合と比較して、棒金硬貨径センサ１３４の発光部からの光が棒金硬貨により遮光される時間が変化してしまう。このため、棒金硬貨径センサ１３４により検出された棒金硬貨の径の大きさに誤差が生じてしまい、棒金硬貨の金種を正確に判定できないという問題がある。
【００８３】
これに対して、図１４（ａ）に示すように、２つのロータリエンコーダ１０６が棒金収納庫１００の筐体１０２の幅方向における両端部にそれぞれ設けられた場合には、２つのロータリエンコーダ１０６の各々により検出される筐体１０２に対する収納ドロア１０４の引き出し量に基づいて、棒金硬貨の径の大きさの補正が行われる。具体的には、図１４（ｂ）に示すように、径の大きさが検出されるべき棒金硬貨に対応する棒金硬貨径センサ１３４と、一方のロータリエンコーダ１０６（例えば、図１４における下方に位置するロータリエンコーダ１０６）との間の距離をｄ１とし、一対のロータリエンコーダ１０６間の距離をｄ２とする。このときに、図１４における下方に位置するロータリエンコーダ１０６により検出される収納ドロア１０４の引き出し量に基づいて算出された棒金硬貨の径の大きさＥ１と、図１４における上方に位置するロータリエンコーダ１０６により検出される収納ドロア１０４の引き出し量に基づいて算出された棒金硬貨の径の大きさＥ２とに基づいて、下記式により棒金硬貨の径の大きさの補正値Ｅ３が算出される。
Ｅ３＝（Ｅ２−Ｅ１）×（ｄ１÷ｄ２）
そして、図１４における下方に位置するロータリエンコーダ１０６に対応する棒金硬貨の径の大きさＥ１に、補正値Ｅ３を加えた値が、補正後の棒金硬貨の径の大きさＥとなる。
Ｅ＝Ｅ１＋Ｅ３
【００８４】
このように、２つのロータリエンコーダ１０６を棒金収納庫１００の筐体１０２の幅方向における両端部にそれぞれ設けるとともに、２つのロータリエンコーダ１０６の各々により検出される筐体１０２に対する収納ドロア１０４の引き出し量に基づいて、棒金硬貨の径の大きさの補正を行うことによって、筐体１０２から収納ドロア１０４を引き出す際にこの収納ドロア１０４が筐体１０２に対して傾いてしまった場合でも、検出される棒金硬貨の径の大きさの誤差をできるだけ小さくすることができるようになる。
【符号の説明】
【００８５】
１  貨幣処理システム
１００  棒金収納庫
１０２  筐体
１０４、１０４ａ  収納ドロア
１０６  ロータリエンコーダ
１１０、１１２、１１４  棒金硬貨収納部
１１６  予備紙幣収納部
１１８  予備硬貨収納部
１２０  オーバーフロー硬貨収納部
１２２  損貨収納部
１２４  現金外収納部
１２６  棒金硬貨収納部
１３０  在高検出手段
１３２  棒金硬貨穴センサ
１３４  棒金硬貨径センサ
１３６  穴検出用のスリット
１３８  径大きさ検出用のスリット
１４０  異常状態検出手段
１５０  制御部
１５２  記憶部
１５４  インターフェース
１６０  ロック機構
２００  硬貨釣銭機
２０２  硬貨投入口
２０４  硬貨投出口
２０６  硬貨処理部
２０８  硬貨収納部
２１２  表示部
２１４  操作部
２２０  主制御部
２２２  記憶部
２２４  インターフェース
２５０  硬貨制御部
２５２  記憶部
２５４  インターフェース
３００  紙幣釣銭機
３０２  紙幣投入口
３０４  紙幣投出口
３０６  紙幣処理部
３０８  紙幣収納部
３５０  紙幣制御部
３５２  記憶部
３５４  インターフェース
４００  ＰＯＳレジスタ
４１２  表示部
４１４  操作部
４２０  制御部
４２２  記憶部
４２４  インターフェース
４２６  カードリーダ
４２８  プリンタ
５００  店舗サーバ
【図１】
2014119808.tif 000003
【図２】
2014119808.tif 000004
【図３】
2014119808.tif 000005
【図４】
2014119808.tif 000006
【図５】
2014119808.tif 000007
【図７】
2014119808.tif 000008
【図８】
2014119808.tif 000009
【図９】
2014119808.tif 000010
【図１０】
2014119808.tif 000011
【図１１】
2014119808.tif 000012
【図１２】
2014119808.tif 000013
【図１３】
2014119808.tif 000014
【図１４】
2014119808.tif 000015
【図６】
2014119808.tif 000016